(57)【要約】【課題】解像度の低下を防ぎつつ、ベゼルサイズを減少させることができるタッチパネルを提供する。【解決手段】本発明の一実施形態に係るタッチパネルは、基板、前記基板上に配置される複数のＸ軸ライン、前記複数のＸ軸ラインと交差する複数のＹ軸ライン、及び前記Ｘ軸ラインと前記Ｙ軸ラインの間に介在されている絶縁膜を含み、前記複数のＸ軸ラインの中から選択された少なくとも一つの第１Ｘ軸ラインと少なくとも一つの第２Ｘ軸ラインは、第１連結部によって連結され、前記複数のＹ軸ラインの中で前記第１Ｘ軸ライン及び前記第２Ｘ軸ラインと交差するＹ軸ラインは、前記第１Ｘ軸ラインと重畳する領域で第１面積を有し、前記第２Ｘ軸ラインと重畳する領域で第２面積を有し、前記第１面積と前記第２面積は互いに異なる。【選択図】図１
2013168125.tif 000002
【特許請求の範囲】
【請求項１】
基板、
前記基板上に配置される複数のＸ軸ライン、
前記複数のＸ軸ラインと交差する複数のＹ軸ライン、及び
前記Ｘ軸ラインと前記Ｙ軸ラインの間に介在されている絶縁膜を含み、
前記複数のＸ軸ラインの中から選択された少なくとも一つの第１Ｘ軸ラインと、少なくとも一つの第２Ｘ軸ラインとは、第１連結部によって連結され、
前記複数のＹ軸ラインの中から前記第１Ｘ軸ライン及び前記第２Ｘ軸ラインと交差するＹ軸ラインは、前記第１Ｘ軸ラインと重畳する領域で第１面積を有し、前記第２Ｘ軸ラインと重畳する領域で第２面積を有し、
前記第１面積と前記第２面積は互いに異なる、タッチパネル。
【請求項２】
前記複数のＹ軸ラインの中から選択された少なくとも一つの第１Ｙ軸ラインと少なくとも一つの第２Ｙ軸ラインとは第２連結部によって連結され、
前記複数のＸ軸ラインの中で前記第１Ｙ軸ライン及び前記第２Ｙ軸ラインと交差するＸ軸ラインは、前記第１Ｙ軸ラインと重畳する領域で第３面積を有し、前記第２Ｙ軸ラインと重畳する領域で第４面積を有し、
前記第３面積と前記第４面積は互いに異なる、請求項１に記載のタッチパネル。
【請求項３】
前記第１面積、前記第２面積、前記第３面積、及び前記第４面積は互いに異なる、請求項２に記載のタッチパネル。
【請求項４】
前記複数のＸ軸ラインは、
前記第１Ｘ軸ラインと前記第２Ｘ軸ラインの間に配置される第３Ｘ軸ライン、及び
第４Ｘ軸ラインを含み、
前記第２Ｘ軸ラインは、前記第３Ｘ軸ラインと前記第４Ｘ軸ラインの間に配置され、
前記第３Ｘ軸ラインと前記第４Ｘ軸ラインは第３連結部によって連結される、請求項１に記載のタッチパネル。
【請求項５】
前記第１連結部と前記第３連結部は、それぞれ前記タッチパネルを平面上から見る時、前記タッチパネルの互いに異なる左右の側面に配置される、請求項４に記載のタッチパネル。
【請求項６】
前記Ｘ軸ラインはセンシング電極であり、前記Ｙ軸ラインは駆動電極である、請求項１に記載のタッチパネル。
【請求項７】
前記第１Ｘ軸ラインと前記第２Ｘ軸ラインは同じ幅を有して同じ方向に延びている、請求項１に記載のタッチパネル。
【請求項８】
前記複数のＸ軸ライン、前記絶縁膜、及び前記複数のＹ軸ラインが順次に積層されており、
前記複数のＹ軸ラインの上に配置される保護膜をさらに含む、請求項１に記載のタッチパネル。
【請求項９】
前記基板上に配置するカラーフィルタをさらに含み、
前記カラーフィルタ、前記複数のＸ軸ライン、及び前記複数のＹ軸ラインは前記基板の同一面上に配置する、請求項１に記載のタッチパネル。
【請求項１０】
前記複数のＸ軸ラインは透明な導電性物質から形成される、請求項１に記載のタッチパネル。
【請求項１１】
前記複数のＹ軸ラインは透明な導電性物質から形成される、請求項１に記載のタッチパネル。
【請求項１２】
基板、
前記基板上に配置する複数のＸ軸ライン、
前記複数のＸ軸ラインと交差する複数のＹ軸ライン、及び
前記Ｘ軸ラインと前記Ｙ軸ラインの間に介在されている絶縁膜を含み、
前記複数のＸ軸ラインの中から選択された少なくとも一つの第１Ｘ軸ラインと少なくとも一つの第２Ｘ軸ラインは、第１連結部によって連結され、
前記複数のＹ軸ラインは、前記第１Ｘ軸ライン及び前記第２Ｘ軸ラインと交差する交差Ｙ軸ラインを含み、
前記絶縁膜は、前記第１Ｘ軸ラインと前記交差Ｙ軸ラインが重畳する領域で第１厚さを有する第１領域と、前記第２Ｘ軸ラインと前記交差Ｙ軸ラインが重畳する領域で第２厚さを有する第２領域を含み、
前記第１厚さと前記第２厚さは互いに異なる、タッチパネル。
【請求項１３】
前記複数のＹ軸ラインの中から選択された少なくとも一つの第１Ｙ軸ラインと少なくとも一つの第２Ｙ軸ラインは、第２連結部によって連結され、
前記複数のＸ軸ラインは、前記第１Ｙ軸ライン及び前記第２Ｙ軸ラインと交差する交差Ｘ軸ラインを含み、
前記絶縁膜は、前記第１Ｙ軸ラインと前記交差Ｘ軸ラインが重畳する領域で第３厚さを有する第３領域と、前記第２Ｙ軸ラインと前記交差Ｘ軸ラインが重畳する領域で第４厚さを有する第４領域を含み、
前記第３厚さと前記第４厚さは互いに異なる、請求項１２に記載のタッチパネル。
【請求項１４】
前記第１厚さ、前記第２厚さ、前記第３厚さ及び前記第４厚さは互いに異なる、請求項１３に記載のタッチパネル。
【請求項１５】
前記複数のＸ軸ラインは、
前記第１Ｘ軸ラインと前記第２Ｘ軸ラインの間に配置する第３Ｘ軸ライン、及び
第４Ｘ軸ラインを含み、
前記第２Ｘ軸ラインは、前記第３Ｘ軸ラインと前記第４Ｘ軸ラインの間に配置され、
前記第３Ｘ軸ラインと前記第４Ｘ軸ラインは第３連結部によって連結される、請求項１２に記載のタッチパネル。
【請求項１６】
前記第１連結部と前記第３連結部は、それぞれ前記タッチパネルを平面上から見る時、前記タッチパネルの互いに異なる左右の側面に配置する、請求項１５に記載のタッチパネル。
【請求項１７】
前記Ｘ軸ラインはセンシング電極であり、前記Ｙ軸ラインは駆動電極である、請求項１２に記載のタッチパネル。
【請求項１８】
前記第１Ｘ軸ラインと前記第２Ｘ軸ラインは同じ幅を有して同じ方向に延びている、請求項１２に記載のタッチパネル。
【請求項１９】
前記複数のＸ軸ライン、前記絶縁膜、及び前記複数のＹ軸ラインが順次に積層されており、
前記複数のＹ軸ラインの上に配置される保護膜をさらに含む、請求項１２に記載のタッチパネル。
【請求項２０】
基板、
前記基板上に配置される複数のＸ軸ライン、
前記複数のＸ軸ラインと交差する複数のＹ軸ライン、及び
前記複数のＸ軸ラインの中から選択された少なくとも一つの第１Ｘ軸ラインと少なくとも一つの第２Ｘ軸ラインを連結する第１連結部を含み、
前記Ｘ軸ラインは複数のＸ軸電極部を含み、前記Ｙ軸ラインは複数のＹ軸電極部を含み、
前記複数のＹ軸ラインの中で前記第１Ｘ軸ライン及び前記第２Ｘ軸ラインと交差するＹ軸ラインは、前記第１Ｘ軸ラインの第１Ｘ軸電極部と第１方向に隣接する第１Ｙ軸電極部、及び前記第２Ｘ軸ラインの第２Ｘ軸電極部と前記第１方向に隣接する第２Ｙ軸電極部を含み、
前記第１Ｘ軸電極部と前記第１Ｙ軸電極部の間の面積は、前記第２Ｘ軸電極部と前記第２Ｙ軸電極部の間の面積と異なる、タッチパネル。
【請求項２１】
前記複数のＹ軸ラインの中から選択された少なくとも一つの第１Ｙ軸ラインと少なくとも一つの第２Ｙ軸ラインとを連結する第２連結部をさらに含み、
前記複数のＸ軸ラインの中で前記第１Ｙ軸ライン及び前記第２Ｙ軸ラインと交差するＸ軸ラインは、前記第１Ｙ軸ラインの第３Ｙ軸電極部と第２方向に隣接する第３Ｘ軸電極部、及び前記第２Ｙ軸ラインの第４Ｙ軸電極部と前記第２方向に隣接する第４Ｘ軸電極部を含み、
前記第３Ｘ軸電極部と前記第３Ｙ軸電極部の間の面積は、前記第４Ｘ軸電極部と前記第４Ｙ軸電極部の間の面積と異なる、請求項２０に記載のタッチパネル。
【請求項２２】
前記複数のＸ軸ラインは、
前記第１Ｘ軸ラインと前記第２Ｘ軸ラインの間に配置される第３Ｘ軸ライン、及び
第４Ｘ軸ラインを含み、
前記第２Ｘ軸ラインは、前記第３Ｘ軸ラインと前記第４Ｘ軸ラインの間に配置され、
前記第３Ｘ軸ラインと前記第４Ｘ軸ラインは第３連結部によって連結される、請求項２０に記載のタッチパネル。
【請求項２３】
前記第１Ｙ軸ラインと前記第２Ｙ軸ラインの間に前記複数のＹ軸ラインの中から選択された少なくとも一つのＹ軸ラインが位置する、請求項２２に記載のタッチパネル。
【請求項２４】
前記複数のＸ軸ラインと前記複数のＹ軸ラインは同一平面上に配列されている、請求項２０に記載のタッチパネル。
【請求項２５】
前記複数のＸ軸電極部のそれぞれのＸ軸電極部及び前記複数のＹ軸電極部のそれぞれのＹ軸電極部の形状はひし形である、請求項２０に記載のタッチパネル。
【請求項２６】
前記複数のＸ軸ライン及び前記複数のＹ軸ラインの上に配置する保護膜をさらに含む、請求項２０に記載のタッチパネル。
【発明の詳細な説明】
【技術分野】
【０００１】
本発明は、タッチパネルに関する。
【背景技術】
【０００２】
一般に、タッチパネルは、ボタンを指で接触してコンピュータなどを対話的、直感的に操作することによって、誰でも簡単に用いることができる入力装置である。タッチパネルをディスプレイと共に集積した場合はタッチスクリーンと呼ばれる。タッチスクリーンはスクリーンに指を接触して入力を行う入力装置である。
【０００３】
このようなタッチパネルは、接触を感知する方式によって抵抗膜方式、静電容量方式、赤外線方式、及び超音波方式などが使用されており、現在は抵抗膜方式が多く使用されているが、今後耐久性及び軽薄短小の特性に有利な静電容量方式の使用が増加すると予想される。
【０００４】
このような静電容量方式のタッチパネル、特にタッチスクリーンはその構造が、ＰＥＴやガラスなどの透明な絶縁体フィルム上にＸ軸静電電極とＹ軸静電電極、静電電極の端部にシルバーペーストなどのリード線からなるパッドが配置される。Ｘ軸静電電極とＹ軸静電電極は、光を透過する導電体からなり、接着剤層や絶縁体層が付加されて、Ｘ軸静電電極とＹ軸静電電極を上下に積層するか、または同一平面上に隣接して配列して構成される。
【０００５】
このように形成されたタッチスクリーンは、使用者のタッチによるタッチ信号をコントローラが入力を受けて座標信号を出力する。
【０００６】
ところが、複数の静電電極は行と列方向にマトリックス状に配列されていて、このような複数の静電電極に信号を伝達するリード電極配線がそれぞれ一つずつ連結されるため、ベゼル（Ｂｅｚｅｌ）に配線を配置する余裕がなくなり、タッチ解像度を低下させて、タッチ感度を減少させる問題がある。
【発明の概要】
【発明が解決しようとする課題】
【０００７】
本発明の目的は、解像度の低下を防ぎつつ、ベゼルサイズを減少させることができるタッチパネルを提供することにある。
【課題を解決するための手段】
【０００８】
本発明の一実施形態に係るタッチパネルは、基板、前記基板上に配置される複数のＸ軸ライン、前記複数のＸ軸ラインと交差する複数のＹ軸ライン、及び前記Ｘ軸ラインと前記Ｙ軸ラインの間に介在されている絶縁膜を含み、前記複数のＸ軸ラインの中から選択された少なくとも一つの第１Ｘ軸ラインと少なくとも一つの第２Ｘ軸ラインは、第１連結部によって連結され、前記複数のＹ軸ラインの中で前記第１Ｘ軸ライン及び前記第２Ｘ軸ラインと交差するＹ軸ラインは、前記第１Ｘ軸ラインと重畳する領域で第１面積を有し、前記第２Ｘ軸ラインと重畳する領域で第２面積を有し、前記第１面積と前記第２面積は互いに異なる。
【０００９】
前記複数のＹ軸ラインの中から選択された少なくとも一つの第１Ｙ軸ラインと少なくとも一つの第２Ｙ軸ラインは、第２連結部によって連結され、前記複数のＸ軸ラインの中で前記第１Ｙ軸ライン及び前記第２Ｙ軸ラインと交差するＸ軸ラインは、前記第１Ｙ軸ラインと重畳する領域で第３面積を有し、前記第２Ｙ軸ラインと重畳する領域で第４面積を有し、前記第３面積と前記第４面積は互いに異なるとよい。
【００１０】
前記第１面積、前記第２面積、前記第３面積、及び前記第４面積は互いに異なるとよい。
【００１１】
前記複数のＸ軸ラインは、前記第１Ｘ軸ラインと前記第２Ｘ軸ラインの間に配置される第３Ｘ軸ライン、及び第４Ｘ軸ラインを含み、前記第２Ｘ軸ラインは、前記第３Ｘ軸ラインと前記第４Ｘ軸ラインの間に配置され、前記第３Ｘ軸ラインと前記第４Ｘ軸ラインは第３連結部によって連結されるとよい。
【００１２】
前記第１連結部と前記第３連結部は、それぞれ前記タッチパネルを平面上から見る時、前記タッチパネルの互いに異なる左右の側面に配置されるとよい。
【００１３】
前記Ｘ軸ラインはセンシング電極であり、前記Ｙ軸ラインは駆動電極であるとよい。
【００１４】
前記第１Ｘ軸ラインと前記第２Ｘ軸ラインは、同じ幅を有して同じ方向に延びているとよい。
【００１５】
前記複数のＸ軸ライン、前記絶縁膜、及び前記複数のＹ軸ラインが順次に積層されており、前記複数のＹ軸ラインの上に配置される保護膜をさらに含むとよい。
【００１６】
前記基板上に配置するカラーフィルタをさらに含み、前記カラーフィルタ、前記複数のＸ軸ライン、及び前記複数のＹ軸ラインは、前記基板の同一面上に配置するとよい。
【００１７】
前記複数のＸ軸ラインは、透明な導電性物質から形成されるとよい。
【００１８】
前記複数のＹ軸ラインは、透明な導電性物質から形成されるとよい。
【００１９】
本発明の一実施形態に係るタッチパネルは、基板、前記基板上に配置される複数のＸ軸ライン、前記複数のＸ軸ラインと交差する複数のＹ軸ライン、及び前記Ｘ軸ラインと前記Ｙ軸ラインの間に介在されている絶縁膜を含み、前記複数のＸ軸ラインの中から選択された少なくとも一つの第１Ｘ軸ラインと少なくとも一つの第２Ｘ軸ラインは、第１連結部によって連結され、前記複数のＹ軸ラインは、前記第１Ｘ軸ライン及び前記第２Ｘ軸ラインと交差する交差Ｙ軸ラインを含み、前記絶縁膜は前記第１Ｘ軸ラインと前記交差Ｙ軸ラインが重畳する領域で第１厚さを有する第１領域と、前記第２Ｘ軸ラインと前記交差Ｙ軸ラインが重畳する領域で第２厚さを有する第２領域を含み、前記第１厚さと前記第２厚さは互いに異なる。
【００２０】
前記複数のＹ軸ラインの中から選択された少なくとも一つの第１Ｙ軸ラインと少なくとも一つの第２Ｙ軸ラインは第２連結部によって連結され、前記複数のＸ軸ラインは前記第１Ｙ軸ライン及び前記第２Ｙ軸ラインと交差する交差Ｘ軸ラインを含み、前記絶縁膜は、前記第１Ｙ軸ラインと前記交差Ｘ軸ラインが重畳する領域で第３厚さを有する第３領域と、前記第２Ｙ軸ラインと前記交差Ｘ軸ラインが重畳する領域で第４厚さを有する第４領域を含み、前記第３厚さと前記第４厚さは互いに異なるとよい。
【００２１】
前記第１厚さ、前記第２厚さ、前記第３厚さ、及び前記第４厚さは互いに異なるとよい。
【００２２】
前記複数のＸ軸ラインは、前記第１Ｘ軸ラインと前記第２Ｘ軸ラインの間に配置される第３Ｘ軸ライン、及び第４Ｘ軸ラインを含み、前記第２Ｘ軸ラインは、前記第３Ｘ軸ラインと前記第４Ｘ軸ラインの間に配置され、前記第３Ｘ軸ラインと前記第４Ｘ軸ラインは第３連結部によって連結されるとよい。
【００２３】
前記第１連結部と前記第３連結部は、それぞれ前記タッチパネルを平面上から見る時、前記タッチパネルの互いに異なる左右の側面に配置されるとよい。
【００２４】
前記Ｘ軸ラインはセンシング電極であり、前記Ｙ軸ラインは駆動電極であるとよい。
【００２５】
前記第１Ｘ軸ラインと前記第２Ｘ軸ラインは、同じ幅を有して同じ方向に延びているとよい。
【００２６】
前記複数のＸ軸ライン、前記絶縁膜、及び前記複数のＹ軸ラインが順次に積層されており、前記複数のＹ軸ラインの上に配置される保護膜をさらに含むとよい。
【００２７】
本発明の一実施形態に係るタッチパネルは、基板、前記基板上に配置される複数のＸ軸ライン、前記複数のＸ軸ラインと交差する複数のＹ軸ライン、及び前記複数のＸ軸ラインの中から選択された少なくとも一つの第１Ｘ軸ラインと少なくとも一つの第２Ｘ軸ラインを連結する第１連結部を含み、前記Ｘ軸ラインは複数のＸ軸電極部を含み、前記Ｙ軸ラインは複数のＹ軸電極部を含み、前記複数のＹ軸ラインの中で前記第１Ｘ軸ライン及び前記第２Ｘ軸ラインと交差するＹ軸ラインは、前記第１Ｘ軸ラインの第１Ｘ軸電極部と第１方向に隣接する第１Ｙ軸電極部、及び前記第２Ｘ軸ラインの第２Ｘ軸電極部と前記第１方向に隣接する第２Ｙ軸電極部を含み、前記第１Ｘ軸電極部と前記第１Ｙ軸電極部の間の面積は、前記第２Ｘ軸電極部と前記第２Ｙ軸電極部の間の面積と異なる。
【００２８】
前記複数のＹ軸ラインの中から選択された少なくとも一つの第１Ｙ軸ラインと少なくとも一つの第２Ｙ軸ラインを連結する第２連結部をさらに含み、前記複数のＸ軸ラインの中で前記第１Ｙ軸ライン及び前記第２Ｙ軸ラインと交差するＸ軸ラインは、前記第１Ｙ軸ラインの第３Ｙ軸電極部と第２方向に隣接する第３Ｘ軸電極部、及び前記第２Ｙ軸ラインの第４Ｙ軸電極部と前記第２方向に隣接する第４Ｘ軸電極部を含み、前記第３Ｘ軸電極部と前記第３Ｙ軸電極部の間の面積は、前記第４Ｘ軸電極部と前記第４Ｙ軸電極部の間の面積と異なるとよい。
【００２９】
前記複数のＸ軸ラインは、前記第１Ｘ軸ラインと前記第２Ｘ軸ラインの間に配置される第３Ｘ軸ライン、及び第４Ｘ軸ラインを含み、前記第２Ｘ軸ラインは、前記第３Ｘ軸ラインと前記第４Ｘ軸ラインの間に配置され、前記第３Ｘ軸ラインと前記第４Ｘ軸ラインは第３連結部によって連結されるとよい。
【００３０】
前記第１Ｙ軸ラインと前記第２Ｙ軸ラインの間に、前記複数のＹ軸ラインの中から選択された少なくとも一つのＹ軸ラインが位置するとよい。
【００３１】
前記複数のＸ軸ラインと前記複数のＹ軸ラインは、同一平面上に配列されるとよい。
【００３２】
前記複数のＸ軸電極部のそれぞれのＸ軸電極部、及び前記複数のＹ軸電極部のそれぞれのＹ軸電極部の形状は、ひし形であるとよい。
【００３３】
前記複数のＸ軸ライン及び前記複数のＹ軸ラインの上に配置される保護膜をさらに含むとよい。
【発明の効果】
【００３４】
本発明の一実施形態によれば、複数の電極ラインを連結部で連結することによって、リード線の個数を減らすことで、解像度の低下を防ぎつつ、ベゼル（Ｂｅｚｅｌ）サイズを減少させることができる。これと関連して、タッチセンサーを構成する導電膜の幅を変更するか、または導電膜の間の絶縁膜の厚さを変更することによって、同一ノードに位置する領域を識別することができる。
【図面の簡単な説明】
【００３５】
【図１】本発明の一実施形態に係るタッチパネルの平面図である。
【図２】図１の切断線ＩＩ-ＩＩ及び切断線ＩＩＩ-ＩＩＩに沿った断面図である。
【図３】タッチ入力がある場合に図１の切断線ＩＩ-ＩＩ及び切断線ＩＩＩ-ＩＩＩに沿った部分の電界を示す断面図である。
【図４】図１の実施形態においてタッチ入力前後による第１領域ａ１の電圧変化を示すグラフである。
【図５】図１の実施形態においてタッチ入力前後による第２領域ａ２の電圧変化を示すグラフである。
【図６】本発明の一実施形態に係るタッチパネルの平面図である。
【図７】図６の切断線ＶＩＩ-ＶＩＩに沿った断面図である。
【図８】図７の実施形態においてタッチ入力がある場合に第１領域ｂ１及び第２領域ｂ２の電界を示す断面図である。
【図９】本発明の一実施形態に係るタッチパネルの平面図である。
【図１０】本発明の一実施形態に係るタッチパネルの平面図である。
【図１１】図１０の切断線ＸＩ-ＸＩに沿った断面図である。
【図１２】本発明の一実施形態に係るタッチパネルの平面図である。
【図１３】本発明の一実施形態に係るタッチパネルの平面図である。
【図１４】本発明の一実施形態に係るタッチパネルの平面図である。
【図１５】図１４の実施形態におけるＡ領域を示す拡大図である。
【図１６】図１５の切断線ＸＶＩＩ-ＸＶＩＩに沿った断面図である。
【図１７】図１４の実施形態におけるＢ領域を示す拡大図である。
【図１８】図１７の切断線ＸＶＩＩＩ-ＸＶＩＩＩに沿った断面図である。
【図１９】本発明の一実施形態に係るタッチパネルを含む液晶表示装置である。
【発明を実施するための形態】
【００３６】
添付した図面を参照して、本発明の好ましい実施形態について詳細に説明する。しかし、本発明はここで説明される実施形態に限定されず、他の形態に具体化することも可能である。むしろ、ここで紹介される実施形態は、当業者に本発明の思想を完全かつ十分に伝えるために提供されたものである。
【００３７】
図面において、層及び領域の厚さは、明確性を期するために誇張して示した。また、層が他の層または基板「上」にあると言及される場合に、それは他の層または基板上に直接形成されるか、またはそれらの間に第３の層が介されてもよい。明細書の全体にわたって同じ参照番号で表示された部分は、同じ構成要素を意味する。
【００３８】
図１は、本発明の一実施形態に係るタッチパネルの平面図である。図２は、図１の切断線ＩＩ-ＩＩ及び切断線ＩＩＩ-ＩＩＩに沿った断面図である。
【００３９】
図１及び図２を参照して、横方向に延びている複数のＸ軸ライン（Ｘ１、Ｘ２、Ｘ３、Ｘ４、Ｘ５、Ｘ６、Ｘ７、Ｘ８）が互いに離隔して配列されている。この時、複数のＸ軸ライン（Ｘ１、Ｘ２、Ｘ３、Ｘ４、Ｘ５、Ｘ６、Ｘ７、Ｘ８）の中から選択された第１Ｘ軸ラインＸ１と第２Ｘ軸ラインＸ２、第３Ｘ軸ラインＸ３と第４Ｘ軸ラインＸ４、第５Ｘ軸ラインＸ５と第６Ｘ軸ラインＸ６、第７Ｘ軸ラインＸ７と第８Ｘ軸ラインＸ８が、それぞれ連結部３００によって連結されている。複数のＸ軸ライン（Ｘ１、Ｘ２、Ｘ３、Ｘ４、Ｘ５、Ｘ６、Ｘ７、Ｘ８）は同じ幅を有していてもよい。
【００４０】
複数のＹ軸ライン（Ｙ１、Ｙ２、Ｙ３、Ｙ４、Ｙ５、Ｙ６、Ｙ７、Ｙ８）が複数のＸ軸ライン（Ｘ１、Ｘ２、Ｘ３、Ｘ４、Ｘ５、Ｘ６、Ｘ７、Ｘ８）と交差しながら縦方向に延びている。複数のＹ軸ライン（Ｙ１、Ｙ２、Ｙ３、Ｙ４、Ｙ５、Ｙ６、Ｙ７、Ｙ８）は互いに離隔して配列されている。
【００４１】
複数のＸ軸ライン（Ｘ１、Ｘ２、Ｘ３、Ｘ４、Ｘ５、Ｘ６、Ｘ７、Ｘ８）及び複数のＹ軸ライン（Ｙ１、Ｙ２、Ｙ３、Ｙ４、Ｙ５、Ｙ６、Ｙ７、Ｙ８）は、透明な導電性物質から形成されるとよい。
【００４２】
基板１００上に複数のＸ軸ライン（Ｘ１、Ｘ２、Ｘ３、Ｘ４、Ｘ５、Ｘ６、Ｘ７、Ｘ８）が配置され、複数のＸ軸ライン（Ｘ１、Ｘ２、Ｘ３、Ｘ４、Ｘ５、Ｘ６、Ｘ７、Ｘ８）の上に絶縁膜１４０が配置され、絶縁膜１４０の上に複数のＹ軸ライン（Ｙ１、Ｙ２、Ｙ３、Ｙ４、Ｙ５、Ｙ６、Ｙ７、Ｙ８）を配置され、複数のＹ軸ライン（Ｙ１、Ｙ２、Ｙ３、Ｙ４、Ｙ５、Ｙ６、Ｙ７、Ｙ８）の上に保護膜１８０が配置される。
【００４３】
第１Ｘ軸ラインＸ１と第２Ｘ軸ラインＸ２、第３Ｘ軸ラインＸ３と第４Ｘ軸ラインＸ４、第５Ｘ軸ラインＸ５と第６Ｘ軸ラインＸ６、第７Ｘ軸ラインＸ７と第８Ｘ軸ラインＸ８が、連結部３００によって連結されているため、連結部３００によって連結された一対のＸ軸ラインは、一つのリード線（図示せず）によってセンシング信号を、ベゼル（Ｂｅｚｅｌ）を通じてコントローラ（図示せず）に伝送する。この時、第１領域ａ１と第２領域ａ２におけるタッチ位置を識別するために、本実施形態では第１領域ａ１と第２領域ａ２における面積が異なるように設計する。
【００４４】
具体的に、第１Ｙ軸ラインＹ１が第１Ｘ軸ラインＸ１と重畳する第１領域ａ１の面積は、第１Ｙ軸ラインＹ１が第２Ｘ軸ラインＸ２と重畳する第２領域ａ２の面積より大きい。
【００４５】
以下、図３乃至図５を参照して、タッチ入力がある場合に、事実上同一ノード（Ｎｏｄｅ）である第１領域ａ１及び第２領域ａ２のタッチ位置をどのように識別するのかについて説明する。
【００４６】
図３は、タッチ入力がある場合に図１の切断線ＩＩ-ＩＩ及び切断線ＩＩＩ-ＩＩＩに沿った部分の電界を示す断面図である。
【００４７】
連結部３００によって連結された複数対のＸ軸ラインそれぞれ（例：第１Ｘ軸ラインＸ１と第２Ｘ軸ラインＸ２は、一つのリード線（図示せず）によって電源（Ｐｏｗｅｒ  ｓｏｕｒｃｅ）と連結され、複数のＹ軸ラインそれぞれ（Ｙ１、Ｙ２、Ｙ３、Ｙ４、Ｙ５、Ｙ６、Ｙ７、Ｙ８）がその末端で電源と連結され、電源によって電圧がＸ軸ライン対とＹ軸ラインに印加されることによって、Ｘ軸ラインとこれに重畳するＹ軸ラインの間にキャパシタンスが形成される。
【００４８】
図３（ａ）は、図１の第１領域ａ１における電界を示し、図３（ｂ）は、図１の第２領域ａ２における電界を示す。図１の第１領域ａ１のタッチ面ＴＳにタッチ入力が加わる時、第１Ｙ軸ラインＹ１と指の間にフリンジフィールドが形成されて、第１Ｘ軸ラインＸ１と第１Ｙ軸ラインＹ１の間に形成された静電容量が放電される。同様に、図１の第２領域ａ２のタッチ面ＴＳにタッチ入力が加わる時、第１Ｙ軸ラインＹ１と指の間にフリンジフィールドが形成されて、第２Ｘ軸ラインＸ２と第１Ｙ軸ラインＹ１の間に形成された静電容量が放電される。
【００４９】
第１Ｘ軸ラインＸ１と第１Ｙ軸ラインＹ１の間、または第２Ｘ軸ラインＸ２と第１Ｙ軸ラインＹ２の間には、絶縁膜１４０が形成されており、第１Ｙ軸ラインＹ１とタッチ面ＴＳの間には保護膜１８０が形成されている。
【００５０】
図３（ａ）と図３（ｂ）を比較すると、第１Ｘ軸ラインＸ１と重畳する第１Ｙ軸ラインＹ１の面積が、第２Ｘ軸ラインＸ２と重畳する第１Ｙ軸ラインＹ１の面積より大きいため、第２領域ａ２に比べて第１領域ａ１からより多くの静電容量が放電される。
【００５１】
図４は、図１の実施形態においてタッチ入力前後による第１領域ａ１の電圧変化を示すグラフである。図５は、図１の実施形態においてタッチ入力前後による第２領域ａ２の電圧変化を示すグラフである。
【００５２】
図４及び図５を参照して、静電容量が多く放電される第１領域ａ１の電圧降下が、第２領域ａ２の電圧降下より大きいので、チャージアンプ（Ｃｈａｒｇｅ  Ａｍｐ．）方式を用いて電圧降下の程度を測定し、タッチ位置を識別することができる。もちろん、これに限定されず、放電された量が多いほど再充電にかかる時間が長くなるため、タイムカウンタ（Ｔｉｍｅ  ｃｏｕｎｔｅｒ）方式を用いてタッチ位置を識別することも可能である。
【００５３】
図１に表記した第３領域ａ３と第４領域ａ４、第５領域ａ５と第６領域ａ６、第７領域ａ７と第８領域ａ８なども、上述したことと同様な方法でタッチ位置を識別することができる。
【００５４】
図６は、本発明の一実施形態によるタッチパネルの平面図である。図７は、図６の切断線ＶＩＩ-ＶＩＩに沿った断面図である。
【００５５】
図６及び図７を参照すれば、基板１００上に横方向に延びている複数のＸ軸ライン（Ｘ１、Ｘ２、Ｘ３、Ｘ４、Ｘ５、Ｘ６、Ｘ７、Ｘ８）が互いに離隔して配列されている。この時、複数のＸ軸ライン（Ｘ１、Ｘ２、Ｘ３、Ｘ４、Ｘ５、Ｘ６、Ｘ７、Ｘ８）の中から選択された第１Ｘ軸ラインＸ１と第２Ｘ軸ラインＸ２、第３Ｘ軸ラインＸ３と第４Ｘ軸ラインＸ４、第５Ｘ軸ラインＸ５と第６Ｘ軸ラインＸ６、第７Ｘ軸ラインＸ７と第８Ｘ軸ラインＸ８が、それぞれ連結部３００によって連結されている。複数のＸ軸ライン（Ｘ１、Ｘ２、Ｘ３、Ｘ４、Ｘ５、Ｘ６、Ｘ７、Ｘ８）は同じ幅を有していてもよい。
【００５６】
複数のＸ軸ライン（Ｘ１、Ｘ２、Ｘ３、Ｘ４、Ｘ５、Ｘ６、Ｘ７、Ｘ８）の上に絶縁膜１４０が配置され、絶縁膜１４０の上に複数のＹ軸ライン（Ｙ１、Ｙ２、Ｙ３、Ｙ４、Ｙ５、Ｙ６、Ｙ７、Ｙ８）が複数のＸ軸ライン（Ｘ１、Ｘ２、Ｘ３、Ｘ４、Ｘ５、Ｘ６、Ｘ７、Ｘ８）と交差しながら縦方向に延びている。複数のＹ軸ライン（Ｙ１、Ｙ２、Ｙ３、Ｙ４、Ｙ５、Ｙ６、Ｙ７、Ｙ８）は互いに離隔して配列されている。複数のＹ軸ライン（Ｙ１、Ｙ２、Ｙ３、Ｙ４、Ｙ５、Ｙ６、Ｙ７、Ｙ８）の上に保護膜１８０が配置される。
【００５７】
連結部３００によって連結されている第１Ｘ軸ラインＸ１と第２Ｘ軸ラインＸ２がそれぞれ第１Ｙ軸ラインと交差する部分である第１領域ｂ１と第２領域ｂ２の面積は同一である。しかし、第１領域ｂ１に配置される絶縁膜１４０と第２領域ｂ２に配置される絶縁膜１４０の厚さが互いに異なる。言い換えると、第１領域ｂ１の絶縁膜１４０の厚さは第２領域ｂ２の絶縁膜１４０厚さより厚い。
【００５８】
以下、図８を参照して、タッチ入力がある場合に、事実上同一のノード（Ｎｏｄｅ）である第１領域ｂ１及び第２領域ｂ２のタッチ位置をどのように識別するのかについて説明する。
【００５９】
図８は、図７の実施形態でタッチ入力がある場合に第１領域ｂ１及び第２領域ｂ２の電界を示す断面図である。
【００６０】
図８（ａ）は、図７の第１領域ｂ１における電界を示し、図８（ｂ）は、図７の第２領域ｂ２における電界を示す。図７の第１領域ｂ１のタッチ面ＴＳにタッチ入力が加わる時、第１Ｙ軸ラインＹ１と指の間にフリンジフィールドが形成されて、第１Ｘ軸ラインＸ１と第１Ｙ軸ラインＹ１の間に形成された静電容量が放電される。同様に、図７の第２領域ｂ２のタッチ面ＴＳにタッチ入力が加わる時、第１Ｙ軸ラインＹ１と指の間にフリンジフィールドが形成されて、第２Ｘ軸ラインＸ２と第１Ｙ軸ラインＹ１の間に形成された静電容量が放電される。
【００６１】
図８Ａと図８Ｂを比較すると、第１領域ｂ１と第２領域ｂ２は事実上同一ノード（Ｎｏｄｅ）であるが、Ｘ軸ラインとＹ軸ラインの間の間隔が遠くなれば、フィールド（Ｆｉｅｌｄ）がさらに遠く広がる傾向があるため、第２領域ｂ２に比べて第１領域ｂ１からより多くのフリンジフィールドが形成され、指によって放電される静電容量の量が多い。したがって、上述した図４及び図５に示したように、チャージアンプ（Ｃｈａｒｇｅ  Ａｍｐ．）方式を用いて電圧降下の程度を測定するか、またはタイムカウンタ（Ｔｉｍｅ  ｃｏｕｎｔｅｒ）方式を用いてタッチ位置を識別することができる。
【００６２】
図６に表記した第３領域ｂ３と第４領域ｂ４、第５領域ｂ５と第６領域ｂ６、第７領域ｂ７と第８領域ｂ８なども、上述したことと同様な方法でタッチ位置を識別することができる。
【００６３】
図９は、本発明の一実施形態に係るタッチパネルの平面図である。
【００６４】
図９を参照すれば、本実施形態は概して図１で説明された実施形態と同一である。しかし、連結部４００によって連結された第１Ｘ軸ラインＸ１と第２Ｘ軸ラインＸ２の間に第３Ｘ軸ラインＸ３が配置される。同様に、タッチパネルを平面上から見る時、第１Ｘ軸ラインＸ１と第２Ｘ軸ラインＸ２を連結する連結部４００と、他の側面に位置する他の一つの連結部４００によって、第３Ｘ軸ラインＸ３と第４Ｘ軸ラインＸ４が連結され、連結部４００によって連結された第３Ｘ軸ラインＸ３と第４Ｘ軸ラインＸ４の間に第２Ｘ軸ラインＸ２が配置される。類似するパターンとして、タッチパネルの平面上から右側に位置する連結部４００によって連結された第５Ｘ軸ラインＸ５と第６Ｘ軸ラインＸ６の間に第７Ｘ軸ラインＸ７が配置され、タッチパネルの平面上から左側に位置する連結部４００によって連結された第７Ｘ軸ラインＸ７と第８Ｘ軸ラインＸ８の間に第６Ｘ軸ラインＸ６が配置される。
【００６５】
上述した差異点を除いて、図１の実施形態において説明された内容は本実施形態においても全て適用できる。
【００６６】
本実施形態は、連結部４００によって連結されたＸ軸ラインの間に２つ以上のＸ軸ラインが配置される形態にも変更することができる。
【００６７】
図１０は、本発明の一実施形態に係るタッチパネルの平面図である。図１１は、図１０の切断線ＸＩ-ＸＩに沿った断面図である。
【００６８】
図１０及び図１１を参照すると、本実施形態は、概して図６及び図７で説明された実施形態と同一である。
【００６９】
基板２００の上に複数のＸ軸ライン（Ｘ１、Ｘ２、Ｘ３、Ｘ４、Ｘ５、Ｘ６、Ｘ７、Ｘ８）を配置し、複数のＸ軸ライン（Ｘ１、Ｘ２、Ｘ３、Ｘ４、Ｘ５、Ｘ６、Ｘ７、Ｘ８）の上に絶縁膜２４０を配置し、絶縁膜２４０の上に複数のＹ軸ライン（Ｙ１、Ｙ２、Ｙ３、Ｙ４、Ｙ５、Ｙ６、Ｙ７、Ｙ８）が複数のＸ軸ライン（Ｘ１、Ｘ２、Ｘ３、Ｘ４、Ｘ５、Ｘ６、Ｘ７、Ｘ８）と交差しながら縦方向に延びている。複数のＹ軸ライン（Ｙ１、Ｙ２、Ｙ３、Ｙ４、Ｙ５、Ｙ６、Ｙ７、Ｙ８）は、互いに離隔して配列されている。複数のＹ軸ライン（Ｙ１、Ｙ２、Ｙ３、Ｙ４、Ｙ５、Ｙ６、Ｙ７、Ｙ８）の上に保護膜２８０が配置される。
【００７０】
しかし、連結部４００によって連結された第１Ｘ軸ラインＸ１と第２Ｘ軸ラインＸ２の間に第３Ｘ軸ラインＸ３が配置される。同様に、連結部４００によって連結された第３Ｘ軸ラインＸ３と第４Ｘ軸ラインＸ４の間に第２Ｘ軸ラインＸ２が配置され、連結部４００によって連結された第５Ｘ軸ラインＸ５と第６Ｘ軸ラインＸ６の間に第７Ｘ軸ラインＸ７が配置され、連結部４００によって連結された第７Ｘ軸ラインＸ７と第８Ｘ軸ラインＸ８の間に第６Ｘ軸ラインＸ６が配置される。
【００７１】
上述した差異点を除いて、図６及び図７の実施形態において説明された内容は、本実施形態にも全て適用できる。
【００７２】
本実施形態は、連結部４００によって連結されたＸ軸ラインの間に２つ以上のＸ軸ラインが配置される形態にも変更することができる。
【００７３】
図１２は、本発明の一実施形態に係るタッチパネルの平面図である。
【００７４】
図１２を参照すれば、概して図１において説明されたた実施形態と同一である。しかし、本実施形態に係るタッチパネルは、Ｘ軸ラインを連結する第１連結部５００だけでなく、Ｙ軸ラインを連結する第２連結部６００をさらに含む。言い換えると、複数のＹ軸ライン（Ｙ１、Ｙ２、Ｙ３、Ｙ４、Ｙ５、Ｙ６、Ｙ７、Ｙ８）の中から選択された第１Ｙ軸ラインＹ１と第２Ｙ軸ラインＹ２、第３Ｙ軸ラインＹ３と第４Ｙ軸ラインＹ４、第５Ｙ軸ラインＹ５と第６Ｙ軸ラインＹ６、第７Ｙ軸ラインＹ７と第８Ｙ軸ラインＹ８が、それぞれ第２連結部６００によって連結されている。
【００７５】
ここで、第１Ｙ軸ラインＹ１が第１Ｘ軸ラインＸ１と重畳する領域ｃ１の面積、第２Ｙ軸ラインＹ２が第１Ｘ軸ラインＸ１と重畳する領域ｃ２の面積、第１Ｙ軸ラインＹ１が第２Ｘ軸ラインＸ２と重畳する領域ｃ３の面積、及び第２Ｙ軸ラインＹ２が第２Ｘ軸ラインＸ２と重畳する領域ｃ４の面積は、互いに異なる。具体的に、本実施形態において、領域ｃ１の面積＞領域ｃ２の面積＞領域ｃ３の面積＞ｃ４領域の面積の大きさと設計されたが、これに限定されずに、各領域の面積が互いに異なるように設計される形態に変更可能である。
【００７６】
本実施形態において、領域ｃ１、領域ｃ２、領域ｃ３、領域ｃ４は、事実上同一ノード（Ｎｏｄｅ）であるが、Ｘ軸ラインと重畳するＹ軸ラインの面積の差によって、タッチ入力時に放電される静電容量の差が発生する。したがって、このような静電容量の差をチャージアンプ（Ｃｈａｒｇｅ  Ａｍｐ．）方式またはタイムカウンタ（Ｔｉｍｅ  ｃｏｕｎｔｅｒ）方式などを用いてタッチ位置を識別することができる。
【００７７】
上述した差異点を除いて、図１の実施形態において説明されたた内容は本実施形態でも全て適用できる。
【００７８】
図１３は、本発明の一実施形態に係るタッチパネルの平面図である。
【００７９】
図１３を参照すれば、本実施形態は概して図６及び図７で説明された実施形態と同一である。しかし、本実施形態に係るタッチパネルは、Ｘ軸ラインを連結する第１連結部５００だけでなく、Ｙ軸ラインを連結する第２連結部６００をさらに含む。言い換えると、複数のＹ軸ライン（Ｙ１、Ｙ２、Ｙ３、Ｙ４、Ｙ５、Ｙ６、Ｙ７、Ｙ８）の中から選択された第１Ｙ軸ラインＹ１と第２Ｙ軸ラインＹ２、第３Ｙ軸ラインＹ３と第４Ｙ軸ラインＹ４、第５Ｙ軸ラインＹ５と第６Ｙ軸ラインＹ６、第７Ｙ軸ラインＹ７と第８Ｙ軸ラインＹ８、がそれぞれ第２連結部６００によって連結されている。
【００８０】
ここで、第１Ｙ軸ラインＹ１が第１Ｘ軸ラインＸ１と重畳する領域ｄ１に位置する絶縁膜の厚さ、第２Ｙ軸ラインＹ２が第１Ｘ軸ラインＸ１と重畳する領域ｄ２に位置する絶縁膜の厚さ、第１Ｙ軸ラインＹ１が第２Ｘ軸ラインＸ２と重畳する領域ｄ３に位置する絶縁膜の厚さ、及び第２Ｙ軸ラインＹ２が第２Ｘ軸ラインＸ２と重畳する領域ｄ４に位置する絶縁膜の厚さは、互いに異なる。具体的に、本実施形態において、領域ｄ１に位置する絶縁膜の厚さ＞領域ｄ２に位置する絶縁膜の厚さ＞領域ｄ３に位置する絶縁膜の厚さ＞領域ｄ４に位置する絶縁膜の厚さの大きさと設計されたが、これに限定されずに、各領域に位置する絶縁膜の厚さが互いに異なるように設計される形態に変更可能である。
【００８１】
本実施形態において、領域ｄ１、領域ｄ２、領域ｄ３、領域ｄ４は、事実上同一ノード（Ｎｏｄｅ）であるが、Ｘ軸ラインとＹ軸ラインの間隔が遠くなれば、フィールド（Ｆｉｅｌｄ）がさらに遠く広がる傾向があるため、Ｘ軸ラインとＹ軸ラインの間に位置する絶縁膜の厚さの差によって、タッチ入力時に放電される静電容量の差が発生する。したがって、このような静電容量の差をチャージアンプ（Ｃｈａｒｇｅ  Ａｍｐ．）方式またはタイムカウンタ（Ｔｉｍｅ  ｃｏｕｎｔｅｒ）方式などを用いてタッチ位置を識別することができる。
【００８２】
図１４は、本発明の一実施形態に係るタッチパネルの平面図である。図１５は、図１４の実施形態においてＡ領域を示す拡大図である。図１６は、図１５の切断線ＸＶＩ-ＸＶＩに沿った断面図である。図１７は、図１４の実施形態でＢ領域を示す拡大図である。図１８は、図１７の切断線ＸＶＩＩＩ-ＸＶＩＩＩに沿った断面図である。
【００８３】
図１４を参照すれば、基板（図示せず）の上に横方向に延びている複数のＸ軸ライン（Ｘ１、Ｘ２、Ｘ３、Ｘ４、Ｘ５、Ｘ６、Ｘ７、Ｘ８）が互いに離隔して配列されている。この時、複数のＸ軸ライン（Ｘ１、Ｘ２、Ｘ３、Ｘ４、Ｘ５、Ｘ６、Ｘ７、Ｘ８）の中から選択された第１Ｘ軸ラインＸ１と第２Ｘ軸ラインＸ２、第３Ｘ軸ラインＸ３と第４Ｘ軸ラインＸ４、第５Ｘ軸ラインＸ５と第６Ｘ軸ラインＸ６、第７Ｘ軸ラインＸ７と第８Ｘ軸ラインＸ８が、それぞれ連結部７００によって連結されている。複数のＸ軸ライン（Ｘ１、Ｘ２、Ｘ３、Ｘ４、Ｘ５、Ｘ６、Ｘ７、Ｘ８）それぞれは、複数のＸ軸電極部ＸｅとＸ軸電極部Ｘｅを連結するＸ軸連結部Ｘｃを含む。
【００８４】
複数のＹ軸ライン（Ｙ１、Ｙ２、Ｙ３、Ｙ４、Ｙ５、Ｙ６、Ｙ７、Ｙ８）が複数のＸ軸ライン（Ｘ１、Ｘ２、Ｘ３、Ｘ４、Ｘ５、Ｘ６、Ｘ７、Ｘ８）と交差しながら縦方向に延びている。複数のＹ軸ライン（Ｙ１、Ｙ２、Ｙ３、Ｙ４、Ｙ５、Ｙ６、Ｙ７、Ｙ８）は互いに離隔して配列されている。複数のＹ軸ライン（Ｙ１、Ｙ２、Ｙ３、Ｙ４、Ｙ５、Ｙ６、Ｙ７、Ｙ８）それぞれは、複数のＹ軸電極部ＹｅとＹ軸電極部Ｙｅを連結するＹ軸連結部Ｙｃを含む。
【００８５】
本実施形態において、複数のＸ軸ライン（Ｘ１、Ｘ２、Ｘ３、Ｘ４、Ｘ５、Ｘ６、Ｘ７、Ｘ８）と複数のＹ軸ライン（Ｙ１、Ｙ２、Ｙ３、Ｙ４、Ｙ５、Ｙ６、Ｙ７、Ｙ８）は、同一平面上に配列されている
Ｘ軸連結部ＸｃとＹ軸連結部Ｙｃは、Ｘ軸ラインとＹ軸ラインが交差する部分に配置する。本実施形態において、Ｘ軸ラインとＹ軸ラインが同一平面上に位置するため、互いに短絡しないようにしなければならない。したがって、図示していないが、Ｘ軸連結部ＸｃはＹ軸連結部Ｙｃと交差する地点で切れており、連結橋（図示せず）によって隣接する２つのＸ軸電極部Ｘｅを連結する。具体的に、Ｘ軸連結部ＸｃとＹ軸連結部Ｙｃの上にコンタクトホール（図示せず）が形成された絶縁膜（図示せず）を配置し、前記絶縁膜の上に前記連結橋を配置する。前記コンタクトホールを通して前記連結橋とＸ軸連結部Ｘｃが連結されることによって、Ｘ軸連結部ＸｃはＹ軸連結部Ｙｃと絶縁しながら、隣接する２つのＸ軸電極部Ｘｅを連結することができる。
【００８６】
本実施形態とは異なって、Ｘ軸連結部ＸｃでなくＹ軸連結部Ｙｃが連結橋によって連結されてもよい。
【００８７】
Ｘ軸連結部ＸｃとＹ軸連結部Ｙｃは、長方形、ダイヤモンド状など多様なパターン形状を有してもよい。
【００８８】
図１５及び図１６を参照すれば、基板２９０の上にＡ領域に位置する一つのＹ軸電極部Ｙｅと一つのＸ軸電極部Ｘｅを、第１方向Ｄ１に互いに隣接して配置する。Ｘ軸電極部ＸｅとＹ軸電極部Ｙｅの上に絶縁膜２９５を配置する。Ｘ軸電極部ＸｅとＹ軸電極部Ｙｅが互いに対向している面積（ｄ３×ｄ４）の大きさによって、タッチ入力時に抜け出る静電容量が変化する。
【００８９】
図１７及び図１８を参照すれば、基板２９０の上にＢ領域に位置する一つのＹ軸電極部Ｙｅと一つのＸ軸電極部Ｘｅを、第１方向Ｄ１に互いに隣接して配置する。Ｘ軸電極部ＸｅとＹ軸電極部Ｙｅの上に絶縁膜２９５を配置する。ここで、Ｘ軸電極部ＸｅとＹ軸電極部Ｙｅが互いに対向している面積（ｄ５×ｄ６）は、図１４のＡ領域と比べて小さい。したがって、Ａ領域とＢ領域を比較する時、互いに対向するＸ軸電極部ＸｅとＹ軸電極部Ｙｅの間に位置する面積が、Ｂ領域と比べてＡ領域が大きいため、タッチ入力時にＡ領域から放電される静電容量がより大きい。
【００９０】
本実施形態によれば、連結部７００によって連結される２つのＸ軸ラインそれぞれに含まれる第１Ｘ軸電極部及び第２Ｘ軸電極部がＹ軸ライン方向に沿って位置し、一つのＹ軸ラインに含まれる第１Ｙ軸電極部と第２Ｙ軸電極部は、それぞれ前記第１Ｘ軸電極部と前記第２Ｘ軸電極部と第１方向Ｄ１に隣接して位置する。ここで、前記第１Ｘ軸電極部と前記第１Ｙ軸電極部の間の離隔空間の面積と、前記第２Ｘ軸電極部と前記第２Ｙ軸電極部の間の離隔空間の面積は、互いに異なる。
【００９１】
結局、Ｘ軸ラインが連結部７００によって連結されているため、事実上同一ノード（Ｎｏｄｅ）である領域における２つの電極部の間の離隔空間の面積差によって、タッチ入力時に放電される静電容量差が発生する。したがって、このような静電容量の差をチャージアンプ（Ｃｈａｒｇｅ  Ａｍｐ．）方式またはタイムカウンタ（Ｔｉｍｅ  ｃｏｕｎｔｅｒ）方式などを用いてタッチ位置を識別することができる。
【００９２】
上述した本実施形態に係るタッチパネルは、液晶表示装置、及び有機発光表示装置などタッチ方式の表示装置に広範囲に適用できる。
【００９３】
上述した本実施形態に係るタッチパネルを液晶表示装置に適用する場合に、基板１００は液晶表示装置の上部表示板とすることができる。液晶表示装置は、下部表示板、上部表示板、及びその間に位置する液晶層を含む構造であり、下部表示板は薄膜トランジスタ、及び画素電極などを含み、上部表示板はカラーフィルタ、遮光部材、及び共通電極などを含む。したがって、本実施形態に係るタッチパネルは液晶表示装置の上部表示板に対応でき、本実施形態に係るタッチパネルは、共通電極、カラーフィルタ、及び遮光部材などを含むことができる。しかし、多様な方法で液晶表示装置を製造することができるので、カラーフィルタ、遮光部材、及び共通電極のうちの少なくとも一つは下部表示板に含まれる。
【００９４】
図１９を参照して、上述した実施形態に係るタッチパネルを液晶表示装置に適用した場合について説明する。
【００９５】
図１９は、本発明の一実施形態に係るタッチパネルを含む液晶表示装置である。
【００９６】
図１９を参照すれば、薄膜トランジスタ（ＴＦＴ）が具備された薄膜トランジスタ表示板に相当する下部表示板１０００、下部表示板１０００と対向して下部表示板１０００と対向する面に複数のカラーフィルタ２３００が具備されたカラーフィルタ表示板に相当する上部表示板２０００、及び下部表示板１０００と上部表示板２０００の間に形成された液晶層３を含む。液晶層３は液晶分子（図示せず）を含む。
【００９７】
下部表示板１０００は、第１絶縁基板１１００、第１絶縁基板１１００の上に配置する薄膜トランジスタ（ＴＦＴ）、薄膜トランジスタ（ＴＦＴ）の上面に形成された絶縁膜１８００、及び絶縁膜１８００の上に配置する画素電極１９１０を含む。薄膜トランジスタ（ＴＦＴ）は、ゲート電極１２４０、ゲート電極１２４０を覆うゲート絶縁膜１４００、半導体層１５４０、オーミックコンタクト層１６３０、１６５０、ソース電極１７３０、及びドレイン電極１７５０を含むことができる。
【００９８】
絶縁膜１８００には薄膜トランジスタ（ＴＦＴ）のドレイン電極１７５０が露出するようにコンタクトホール１８５０が形成されている。
【００９９】
上部表示板２０００は、第２絶縁基板２１００の一面の上に配置して、マトリックス状に配列された遮光部材２２００、第２絶縁基板２１００の上に配置するカラーフィルタ２３００、及びカラーフィルタ２３００の上に配置し、下部表示板１０００の画素電極１９１０と対応して、液晶層３に電圧を印加する共通電極２７００を含む。
【０１００】
本実施形態において、第２絶縁基板２１００の他の一面にはセンシング電極Ｘ、絶縁膜１４０、駆動電極Ｙ、及び保護膜１８０を配置する。このように、本実施形態では液晶表示装置の上部表示板２０００を形成する時に、タッチスクリーンの構成要素であるセンシング電極Ｘ、絶縁膜１４０、及び駆動電極Ｙなどを共に形成することができる。
【０１０１】
上述の方式のようなタッチパネルは、ディスプレイパネルの上部にタッチパネルが配置されるので、オンセルタイプ（Ｏｎ  ｃｅｌｌ  ｔｙｐｅ）のタッチパネルと呼ばれる。しかし、下記のように本発明の他の実施形態として、上述したタッチパネルをインセルタイプ（Ｉｎ  ｃｅｌｌ  ｔｙｐｅ）のタッチパネルとして適用することも可能である。
【０１０２】
インセルタイプ（Ｉｎ  ｃｅｌｌ  ｔｙｐｅ）のタッチパネルは、絶縁基板の同一面上にセンシング電極、絶縁膜、及び駆動電極と共に、液晶表示装置の上部表示板の構成要素である遮光部材、カラーフィルタ、及び共通電極などを含んでもよい。ここで、駆動電極を別途に形成することも可能であるが、共通電極をパターニングして駆動電極として使用することも可能である。
【０１０３】
上記で種々の実施形態について説明しており、連結部を通してＸ軸ラインまたはＹ軸ラインを共に連結して、ベゼル（Ｂｅｚｅｌ）に位置するリード線の個数を減らすことによって、ベゼルサイズを減少させることができる。
【０１０４】
以上、本発明の好ましい実施形態について詳細に説明したが、本発明の権利範囲はこれに限定されることではなく、特許請求の範囲で定義している本発明の基本概念を利用した当業者の種々の変形及び改良形態も本発明の権利範囲に属するものである。
【符号の説明】
【０１０５】
１００  基板
１４０  絶縁膜
１８０  保護膜
３００、４００、５００、６００、７００  連結部
【図１】
2013168125.tif 000003
【図２】
2013168125.tif 000004
【図３】
2013168125.tif 000005
【図４】
2013168125.tif 000006
【図５】
2013168125.tif 000007
【図６】
2013168125.tif 000008
【図７】
2013168125.tif 000009
【図８】
2013168125.tif 000010
【図９】
2013168125.tif 000011
【図１０】
2013168125.tif 000012
【図１１】
2013168125.tif 000013
【図１２】
2013168125.tif 000014
【図１３】
2013168125.tif 000015
【図１４】
2013168125.tif 000016
【図１５】
2013168125.tif 000017
【図１６】
2013168125.tif 000018
【図１７】
2013168125.tif 000019
【図１８】
2013168125.tif 000020
【図１９】
2013168125.tif 000021